(57)【要約】【課題】安定して塵埃を圧縮し、耐久性、使用性の高い電気掃除機を提供する。【解決手段】塵埃を捕集する集塵容器４と、前記集塵容器４内に配された圧縮板３０と、前記圧縮板３０を駆動する圧縮駆動モータ５６とを有し、前記圧縮板３０によって、前記集塵容器４内の塵埃を圧縮することで、より多くの塵埃を前記集塵容器４内に捕集できるようにした電気掃除機において、前記圧縮板３０は、前記集塵容器４内の塵埃を圧縮する方向及びその逆方向へ摺動可能となるよう構成し、圧縮方向への動作速度を、前記圧縮板３０、圧縮駆動モータ５６の強度・耐久性に対して十分余裕を持った速度に設定し且つ、逆方向への動作速度を可能な限り速く設定することにより、圧縮動作時間を大きく伸ばすことなく、単純な構成で耐久性・使用性の高い電気掃除機を提供することができる。【選択図】図６
2008086617.tif 000002
【特許請求の範囲】
【請求項１】
電動送風機と、塵埃を捕集する集塵容器と、前記電動送風機に連通すると共に前記集塵容器が着脱自在に装着される集塵容器収納部と、前記集塵容器内に配された圧縮手段と、前記圧縮手段を駆動する圧縮駆動手段とを有し、前記圧縮手段によって、前記集塵容器内の塵埃を圧縮することで、より多くの塵埃を前記集塵容器内に捕集できるようにした電気掃除機において、前記圧縮手段は、前記集塵容器内の塵埃を圧縮する方向及びその逆方向へ摺動可能となるよう構成し、且つ前記圧縮駆動手段による圧縮方向への動作速度と、逆方向への動作速度とを異ならせた電気掃除機。
【請求項２】
圧縮手段を圧縮方向へ駆動して塵埃を圧縮した後、逆方向へ駆動して所定の位置に戻す動作を行うと共に、圧縮方向への動作速度を、逆方向への動作速度よりも遅くした請求項１記載の電気掃除機。
【請求項３】
圧縮動作中に使用者の操作等により電動送風機を駆動する際には、圧縮動作を中断し、且つ前記圧縮手段を所定の位置に戻す動作を行うと共に、前記戻す際の動作速度を、通常の圧縮動作速度よりも速くした請求項１記載の電気掃除機。
【請求項４】
圧縮駆動手段に加わる負荷量を検知する負荷量検知手段と、圧縮手段の動作速度を可変する圧縮速度可変手段とを有し、前記負荷量検知手段が検知した負荷量と、圧縮速度可変手段の制御状態とに応じて前記圧縮速度可変手段を制御して、前記圧縮手段の動作速度を変更する請求項１記載の電気掃除機。
【請求項５】
圧縮手段に加わる負荷量が大きくなるに従って、前記圧縮手段の動作速度を遅くする請求項４記載の電気掃除機。
【請求項６】
圧縮駆動手段に加わる負荷量を検知する負荷量検知手段と、前記圧縮駆動手段の駆動力を可変する駆動力可変手段とを有し、前記負荷量検知手段が検知した負荷量と、前記駆動力可変手段の制御状態とに応じて前記駆動力可変手段を制御して、駆動力を変更する請求項１記載の電気掃除機。
【請求項７】
圧縮手段に加わる負荷量が大きくなるに従って、圧縮駆動手段の駆動力を大きくし、且つ前記圧縮手段に加わる負荷量が所定値を超えると、逆に前記圧縮手段の駆動力を小さくする請求項６記載の電気掃除機。
【発明の詳細な説明】
【技術分野】
【０００１】
本発明は、電気掃除機に関するもので、特に、捕集された塵埃を圧縮する機構を有する電気掃除機に関するものである。
【背景技術】
【０００２】
従来のこの種の電気掃除機として、集塵袋をばねの力で圧縮するというものや、（例えば、特許文献１参照）、収納ケースに掃除機本体を収納する際に、前記収納ケースの一部を前記掃除機本体の塵埃圧縮手段に干渉させることで塵埃を圧縮するもの等がある（例えば、特許文献２参照）。
【０００３】
上記特許文献１に記載された従来の電気掃除機は集塵袋を圧縮させるものであるが、集塵容器内の塵埃を圧縮する場合には、圧縮手段が吸気風路を妨げて吸引力を落とすことがないように、塵埃を圧縮した後で、圧縮手段を反転させる即ち、圧縮手段を往復動作させることが必要になる。一方、上記特許文献２に記載された従来の電気掃除機の構成では、掃除機本体を収納ケースに載置する際、ゆっくり載置した場合と、勢い良く載置した場合とで、塵埃の圧縮具合が変わったり、圧縮板に無理な力が加わって集塵ケースが破損、変形するなどの課題があった。
【０００４】
そこで、上記問題を解決するために、圧縮手段にかかる負荷が重くなった時に、前記圧縮手段と、前記圧縮手段の駆動源との連結を解除する解除機構を設けたものがある（例えば、特許文献３参照）。
【特許文献１】特公昭６４−４７７６号公報
【特許文献２】特開平０２−７９２７号公報
【特許文献３】特公昭５８−２２６８３号公報
【発明の開示】
【発明が解決しようとする課題】
【０００５】
上記特許文献２に記載された電気掃除機の構成では、圧縮したいときに、わざわざ収納ケースに電気掃除機をセットしなければならず、且つ、セットの仕方によって圧縮の速度が変化するため、集塵ケースの破損、変形に対する強度・耐久性に対しての課題があった。
【０００６】
又、上記特許文献３に記載された電気掃除機の構成では、駆動部と圧縮手段との連結を解除する解除機構は、機械的な構成となっているため、集塵ケース内の塵埃が多くなってくると、塵埃の圧縮動作の都度、解除機構を形成する一対のクラッチ間ですべりが発生するので、耐久性が悪く、又すべり音が大きく使用勝手の悪いものであった。更に、圧縮手段の移動速度が速いほど、圧縮手段にかかる負荷も大きくなるため、圧縮手段の往復動作速度を遅く設定しなければならず、圧縮にかかる時間は長くなる。例えば、掃除機の運転前後に自動的に圧縮を行なうような掃除機であれば、圧縮にかかる時間が長い程、使用性が低下することは想像に難くない。
【０００７】
本発明は、前記従来の課題を解決するもので、集塵した塵埃を圧縮することで、高い吸引力を持続でき且つ、耐久性と使用性に優れた電気掃除機を提供することを目的とする。
【課題を解決するための手段】
【０００８】
前記従来の課題を解決するために、本発明の電気掃除機は、電動送風機と、塵埃を捕集する集塵容器と、前記電動送風機に連通すると共に前記集塵容器が着脱自在に装着される集塵容器収納部と、前記集塵容器内に配された圧縮手段と、前記圧縮手段を駆動する圧縮駆動手段とを有し、前記圧縮手段によって、前記集塵容器内の塵埃を圧縮することで、より多くの塵埃を前記集塵容器内に捕集できるようにした電気掃除機において、前記圧縮手段は、前記集塵容器内の塵埃を圧縮する方向及びその逆方向へ摺動可能となるよう構成し、且つ前記圧縮駆動手段による圧縮方向への動作速度と、逆方向への動作速度とを異ならせている。例えば、圧縮方向への動作速度を、前記圧縮手段、圧縮駆動手段の強度・耐久性に対して十分余裕を持った速度に設定し、逆方向への動作速度を可能な限り速く設定することにより、圧縮動作時間を大きく伸ばすことなく、単純な構成で耐久性を向上させることが可能となる。尚、塵埃の圧縮に必要な駆動力や、圧縮手段の制御方法によっては、圧縮方向の動作速度を、逆方向への動作速度よりも速くするほうが良いケースも考えられる。又、圧縮手段の位置検知や移動量検知、負荷量検知によって、塵埃量を検出する場合においても、圧縮手段の往路又は復路のいずれか一方の移動速度を遅く出来る分、その検知精度も向上するというメリットも持っている。
【発明の効果】
【０００９】
本発明の電機掃除機は、圧縮動作時間を大きく伸ばすことなく、単純な構成で耐久性を向上させることが可能となり、耐久性と使用性勝手の良いものである。
【発明を実施するための最良の形態】
【００１０】
第１の発明は、電動送風機と、塵埃を捕集する集塵容器と、前記電動送風機に連通すると共に前記集塵容器が着脱自在に装着される集塵容器収納部と、前記集塵容器内に配された圧縮手段と、前記圧縮手段を駆動する圧縮駆動手段とを有し、前記圧縮手段によって、前記集塵容器内の塵埃を圧縮することで、より多くの塵埃を前記集塵容器内に捕集できるようにした電気掃除機において、前記圧縮手段は、前記集塵容器内の塵埃を圧縮する方向及びその逆方向へ摺動可能となるよう構成し、且つ前記圧縮駆動手段による圧縮方向への動作速度と、逆方向への動作速度とを異ならせたもので、例えば、圧縮方向への動作速度を、前記圧縮手段、圧縮駆動手段の強度・耐久性に対して十分余裕を持った速度に設定し、逆方向への動作速度を可能な限り速く設定することにより、圧縮動作時間を大きく伸ばすことなく、単純な構成で耐久性を向上させることが可能となる。尚、塵埃の圧縮に必要な駆動力や、圧縮手段の制御方法によっては、圧縮方向の動作速度を、逆方向への動作速度よりも速くするほうが良いケースも考えられる。又、圧縮手段の位置検知や移動量検知、負荷量検知によって、塵埃量を検出する場合においても、圧縮手段の往路又は復路のいずれか一方の移動速度を遅く出来る分、その検知精度も向上するというメリットも持っている。
【００１１】
第２の発明は、第１の発明の圧縮手段を圧縮方向へ駆動して塵埃を圧縮した後、逆方向へ駆動して所定の原点位置に戻す動作を行うと共に、圧縮方向への動作速度を、逆方向への動作速度よりも遅くした事を特徴とするものであり、圧縮動作時間を大きく伸ばすことなく、単純な構成で耐久性を向上させることが可能となる。又、圧縮手段の位置検知や移動量検知、負荷量検知によって、塵埃量を検出する場合や、特許文献３のようなクラッチ機構を設ける際においても、圧縮手段の移動速度を遅く出来る分、信頼性が向上する。
【００１２】
第３の発明は、第１の発明において、圧縮動作中に使用者の操作等により電動送風機を駆動する際には、圧縮動作を中断し且つ、圧縮手段を所定の原点位置に戻す動作を行うと共に、原点位置に戻す際の動作速度を、通常の圧縮動作速度よりも速くした事を特徴とするものであり、使用者の判断で圧縮を中断できると共に、中断が選択された時には速やかに圧縮動作が終了するため、使用性が向上するものである。
【００１３】
第４の発明は、第１の発明に加えて、圧縮駆動手段に加わる負荷量を検知する負荷量検知手段と、圧縮手段の動作速度を可変する圧縮速度可変手段とを有し、前記負荷量検知手段が検知した負荷量と、圧縮速度可変手段の制御状態とに応じて前記圧縮速度可変手段を制御して、前記圧縮手段の動作速度を変更する事を特徴とするものであり、例えば、軽負荷の時に動作速度を速くすることで耐久性を確保しつつ、上記第１及び第２の発明よりも更に圧縮動作にかかる時間を短くできるし、重負荷の時に動作速度を遅くすれば、負荷の検知精度が上がり、ひいては信頼性も向上するものである。
【００１４】
第５の発明は、第４の発明の圧縮手段に加わる負荷量が大きくなるに従って、前記圧縮手段の動作速度を遅くすることを特徴とするものであり、軽負荷の時に動作速度を速くすることで耐久性を確保しつつ、上記第１及び第２の発明よりも更に圧縮動作にかかる時間を短くでき、重負荷の時に動作速度を遅くすれば、負荷の検知精度が上がり、ひいては信頼性も向上するものである。
【００１５】
第６の発明は、第１の発明に加えて、圧縮駆動手段に加わる負荷量を検知する負荷量検知手段と、前記圧縮駆動手段の駆動力を可変する駆動力可変手段とを有し、前記負荷量検知手段が検知した負荷量と、前記駆動力可変手段の制御状態とに応じて前記駆動力可変手段を制御して、駆動力を変更する事を特徴とする電気掃除機であり、例えば、軽負荷の時に駆動力を抑えることで、無駄な電力消費を抑えると共に、重負荷の時に駆動力を大きくすることで、圧縮性能を確保する。更に負荷が大きくなった場合には駆動力を小さくして、耐久性を確保することが可能となるものである。
【００１６】
第７の発明は、第６の発明の圧縮手段に加わる負荷量が大きくなるに従って、圧縮駆動手段の駆動力を大きくし、且つ前記圧縮手段に加わる負荷量が所定値を超えると、逆に前記圧縮手段の駆動力を小さくすることを特徴とするものであり、負荷に応じて駆動力を大きくしていくため、無駄な電力消費を押さえつつ、圧縮性能を確保出来ると共に、更に負荷が大きくなった場合には駆動力を小さくすることで、耐久性を確保できるものである。
【００１７】
以下、本発明の実施の形態について、図面を参照しながら説明する。尚、この実施の形態によって本発明が限定されるものではない。
【００１８】
（実施の形態１）
本発明の第１の実施の形態における電気掃除機について、図１〜図６を用いて説明する。図１は、本実施の形態における電気掃除機の全体斜視図、図２は、同電気掃除機の側断面図である。
【００１９】
図１、２において、掃除機本体１は、後部に電動送風機２を内蔵した電動送風機室３が配され、前部に、着脱自在で塵埃を分離捕集する集塵容器４を収納する集塵容器収納部５が配されている。掃除機本体１の前部には、ホース６の一端が着脱自在に接続される吸気口７が設けられている。
【００２０】
ホース６の他端には、掃除の際に握ると共に掃除機本体１の運転を操作するための運転操作部８を備えた先端パイプ９が設けられている。１０は伸縮自在或いは継ぎ自在の延長管で、下流側端部が前記先端パイプ９に着脱自在に接続され、他端は、床用吸込具１１に着脱自在に接続される。
【００２１】
１２は、集塵容器４の持ち運び用の容器ハンドルで、集塵容器４を持ち運ぶ時や、掃除機本体１の集塵容器収納部５から取り外す時に、握るものである。
【００２２】
次に、集塵容器４の構成について図３〜５を用いて説明する。図３は、同電気掃除機の集塵容器の一部欠載斜視図、図４は、同集塵容器の断面図、図５は、同集塵容器収納部の斜視図である。
【００２３】
図３〜５において、集塵容器４は、集塵容器本体１５と、集塵容器本体１５の後方開口部に着脱自在に装着されるフィルターユニット１６から構成されている。
【００２４】
集塵容器本体１５の前部には、集塵容器４を掃除機本体１の集塵容器収納部５に装着した時に、掃除機本体１の吸気口７の後方に気密に圧接し連通する吸入口１７が設けられている。集塵容器本体１５は、さらに、吸入口１７に直接連通すると共に粗塵を収納する粗塵室１８と粗塵室１８を通過した吸引風に含まれた細塵を捕集するフィルターユニット１６から離脱した細塵を収納する細塵室１９と、前記粗塵室１８と細塵室１９の下部を覆うと共に後方端部が集塵容器本体１５に回動自在に軸支された蓋体２０を備えている。
【００２５】
蓋体２０は、コイルバネ２１により開成方向に付勢されており、通常は集塵容器本体１５に設けた尾錠２２で、その前部が閉じた状態に保持されており、容器ハンドル１２の前部に設けた容器操作部２３を押すと、それに連結された連結棒Ｃ４６を介して尾錠２２を外方に移動し、蓋体２０がコイルバネ２１の付勢力で開くようになっている。なお、２５は、バネ材で、容器操作部２３を常時上方に付勢するためのものである。
【００２６】
粗塵室１８は、吸入口１７と連通する部分を除く全内周壁（４側壁）は、下部開口２６に向かって次第に広がる傾斜面２７を有する一次フィルターＡ２８で形成されている。
【００２７】
又、粗塵室１８の上部には、上下動自在の連結棒Ａ２４の下端に固着されると共に、一次フィルターＢ２９を有した圧縮板３０が配されている。この圧縮板３０は、粗塵室１８内に捕集された塵埃を押さえつけて圧縮する圧縮手段となるものである。連結棒Ａ２４の上端には、略Ｌ字状のスライダー３１の一端が固着されている。スライダー３１の上下方向の側部にはラックギア３４が形成されている。３２は、連結棒Ａ２４を常時上方に、すなわち圧縮板３０を常時上方に付勢する弾性部材からなるスライダーバネである。
【００２８】
３３は、集塵容器４の側部に回転自在に支持された駆動軸で、後端にギアＢ３５を有し、さらに、ギア群３９を介してラックギア３４に動力を伝達する。
【００２９】
一方、掃除機本体１内の電動送風機室３と集塵容器収納部５とを仕切る隔壁４０には、圧縮駆動手段である、正・逆回転可能な圧縮駆動モータ５６と、ギア比を無段階に切替制御可能な変速ギアユニット６４（図示せず）と、前記圧縮駆動モータ５６の駆動力を、前記変速ギアユニット６４（図示せず）を介して前記ギアＢ３５に伝達するためのギアＥ３８と、ホールＩＣとマグネットによって構成され、前記ギアＥ３８の回転数を検出する回転数検出手段６５（図示せず）とを有する圧縮駆動ユニット６６が設けられており、集塵容器４を集塵容器収納部５に装着したときに、前記ギアＢ３５とＥ３８が噛み合うよう構成されていると共に、前記隔壁４０に設けられた集塵容器検出手段６２に内蔵されたマイクロスイッチ（図示しない）がオンして、後述する制御手段５２に集塵容器４の装着を知らせる構成になっている。
【００３０】
次に、図６を用いて、本実施の形態における電気掃除機の制御システムについて、説明する。図６において、５１は、掃除機本体１が商用電源（図示せず）に接続され、通電されたかどうかを検知する通電検知手段である。
【００３１】
５２は、マイクロコンピュータなどにより構成される制御手段で、操作部や各検知手段からの情報に基づいて、各負荷制御を行なう制御手段である。５３は、圧縮駆動モータ５６に流れる電流を検出する電流検出手段で、圧縮駆動モータ５６に流れる電流を検出することで、間接的に圧縮駆動モータ５６に加わる負荷量を検出するようにしている。
【００３２】
又、５７は前記回転数検知手段６５によって検出した、ギアＢ３５の回転量から、圧縮板３０の移動量を判断する、圧縮移動量判断手段である。５８は、集塵容器内の塵埃量を判断する集塵量判断手段で、集塵容器内の塵埃の量によって、圧縮板３０が移動できる距離即ち、前記回転数検知手段６５によって検出する回転数が変化することを利用して、その塵埃量を判断するようにしている。
【００３３】
５９は、集塵量判断手段５８の判断した集塵量に基づき、使用者に集塵量を報知する集塵量報知手段で、本実施の形態ではＬＥＤなどで構成された表示回路としている。６３は、特に集塵量が所定以上に溜まっている場合に使用者に捨ててもらうことを促すための、例えばブザーなどで構成された満杯報知手段である。
【００３４】
上記のように構成された本実施の形態における電気掃除機の動作、作用は以下の通りである。
【００３５】
電気掃除機の使用開始に当たり、使用者が、掃除機本体１の電源プラグ（図示せず）を室内の壁に設けたコンセントに差すと、通電検知手段５１が、掃除機本体１に通電されたことを検知し、制御手段５２に信号を送る。制御手段５２は、変速ギアユニット６４に信号を送って、最も低いギア比（ギアＢ３５の回転速度が最小で、トルクが最大）に設定した後、圧縮駆動モータ５６を駆動する。この時、圧縮駆動モータ５６起動時の突入電流を抑えるために、ＰＷＭ制御によって、前記圧縮駆動モータ５６への通電量を、ＤＵＴＹ３０％で起動し、１００％まで徐々に上げていく。
【００３６】
前記圧縮駆動モータ５６への通電量が最大（ＤＵＴＹ１００％）となってから、電流検出手段５３によって、前記圧縮駆動モータ５６にかかる負荷量を間接的に検出する。検出した電流値（負荷量）に応じて、前記変速ギアユニット６４のギア比を切り替えるが、この時、現在のギア比の設定と、電流値（負荷量）の関係から、下表のギア比設定マトリクスを参照して、切り替えるギア比の算出を行なう。尚、下表のギア比設定マトリクスは、評価によってあらかじめ設定された値であり、ギア比と、前記圧縮駆動モータ５６にかかる負荷量の関係から推定される、「圧縮板３０にかかる負荷」が大きければギア比を低く（トルクを大きく、速度を遅く）、負荷が小さければギア比を高く（トルクを小さく・速度を速く）する設定になっている。
【００３７】
【表１】
2008086617.tif 000003
【００３８】
更に、上記「表１」中で「※」の条件の場合（ギア比が最低設定の時で、電流値が１．２Ａ以上の時）は、「圧縮板３０が最下点まで下がり、塵埃が十分に圧縮されている」と判断し、圧縮駆動モータ５６への通電量（ＤＵＴＹ）を３０％まで下げ、１秒経過後に、０．１秒の停止を挟んで後、前記圧縮駆動モータ５６の反転を開始する。尚、ＤＵＴＹ３０％とは、圧縮中の塵埃の復元力によって、前記圧縮板が押し戻されない程度の駆動力を与えるための通電量である。
【００３９】
圧縮移動量判断手段５７は、圧縮開始から、反転開始までの間の回転数検出手段６５の出力から、前記圧縮板３０の、圧縮開始点から下死点までの移動距離を算出しておく。一方、制御手段５２は、反転開始時に、変速ギアユニット６４に信号を送って、最も高いギア比（ギアＢ３５の回転速度が最大で、トルクが最小）に設定した後、圧縮駆動モータ５６を駆動する。この時、圧縮駆動モータ５６の突入電流を抑えるために、ＰＷＭ制御によって、前記圧縮駆動モータ５６への通電量を、ＤＵＴＹ３０％で起動し、１００％まで徐々に上げていく。圧縮駆動モータ５６反転動作中も常時、前記回転数検出手段６５からの出力をモニターし、“反転動作によって圧縮板３０が動いた距離＝圧縮開始から反転開始までに圧縮板３０が動いた距離”になった時、前記圧縮駆動モータ５６への通電量（ＤＵＴＹ）を５０％まで徐々に下げていく。尚、反転動作中も、圧縮動作中と同様に、電流値とギア比設定から、ギア比の切り替え処理を行うが、ギア比設定マトリクスは、圧縮動作中のものとは異なるものを使用している。（反転動作中は、圧縮された塵埃の復元力により、圧縮動作中に比べて前記圧縮板３０にかかる負荷はかなり軽くなることと、素早く上死点まで復帰させたいために、低いギアに入りにくい設定にしている。）又、ギア比が最低設定で、電流値が１．２Ａ以上に達したら、「圧縮板３０が上死点まで上がった」と判断し、圧縮駆動モータ５６への通電を停止し、一連の圧縮動作を終了する。
【００４０】
圧縮板３０が反転動作を開始してから、上死点で停止するまでの前記圧縮板３０の移動距離は、粗塵室１８内に溜まった塵埃量が増加するほど減少するため、集塵量と一次的な関係にあると考えることができる。集塵量判断手段５８は、圧縮移動量判断手段５７によって検知した移動距離から判断した集塵量を集塵量報知手段５９によって使用者に報知する。特に、その集塵量が所定量を越えていた場合には、満杯報知手段６３によって、使用者に注意喚起し、満杯状態での運転を防ぐことによって、吸引力が低い状態での掃除を避け、電動送風機２の負担をようにしている。
【００４１】
次に、運転操作部８を操作して、電気掃除機の運転を開始すると、制御手段５２は駆動手段５４に信号を送り、電動送風機２を運転させる。この電動送風機２による吸引力が、粗塵室１８、ホース６、延長管１０を経て床用吸込具１１に至る。そして、床用吸込具１１から吸引された塵埃を含んだ空気が、掃除機本体１の吸気口７を通って集塵容器本体１５の吸入口１７から真っ直ぐ粗塵室１８に入り、一次フィルターＡ２８及び一次フィルターＢ２９に当たりそこで塵埃が捕集され、堆積していく。一次フィルターＡ２８および一次フィルターＢ２９を通過した空気に含まれる微細塵は、フィルターユニット１６で捕捉される。
【００４２】
本実施の形態では、さらに、運転操作部８を操作して、電気掃除機の運転を停止すると、それを制御手段５２が検知して、運転開始時の塵埃の圧縮動作と同じ動作を行うようにしている。圧縮駆動モータ５６を圧縮方向に駆動している最中に、運転操作部８を操作して、電機掃除機の運転を開始しようとした場合、直ちに圧縮方向への駆動を停止し、０．１秒後に前記圧縮駆動モータ５６の反転処理を行い、圧縮板３０が上死点に達した後、一連の圧縮動作を終了してから、電動送風機２を運転させる。
【００４３】
次に、集塵容器４内に圧縮されて堆積した塵埃の廃棄について説明する。
【００４４】
集塵容器４を集塵容器収納部５から取り外す時は、容器ハンドル１２を握って集塵容器４を上方に持上げるだけで良い。そして、集塵容器４をごみ箱などの上に持っていって、容器操作部２３を押すと、連結棒Ｃ４６が下がって、尾錠２２が外方に移動して、蓋体２０と尾錠２２との係止が解除され、蓋体２０がコイルバネ２１の付勢力で開成し、集塵容器４内の圧縮された塵埃がごみ箱内に落下する。
【００４５】
このとき、集塵容器検出手段６２は、集塵容器４が集塵容器収納部５から取り出されたことを検出して集塵量判断手段５８へ信号を送る。集塵量判断手段５８はこれを受けて、集塵量報知手段５９および／または満杯報知手段６３で報知している内容を一旦抹消する。そして、再度集塵容器４が集塵容器収納部５に取り付けられたことを集塵容器検出手段６２によって検知した時点で、再度圧縮動作を行って、集塵量を再判断することで、適宜集塵量の報知を行う。
【００４６】
以上のように、本実施の形態によれば、圧縮板３０の圧縮方向への動作速度を、前記圧縮板３０、圧縮駆動モータ５６の強度・耐久性に対して十分余裕を持った速度に設定し、逆方向への動作速度を可能な限り速く設定しているので、圧縮動作時間を大きく伸ばすことなく、単純な構成で耐久性を向上させることが可能となる。又、圧縮板３０の負荷量検知・移動量検知によって、塵埃量を検出する場合、特にその下死点／上死点を検出する際に、移動速度を遅くしているため、その検知精度も向上している。
【００４７】
圧縮動作中に使用者の操作等により電動送風機２を駆動する際には、圧縮動作を中断し且つ、圧縮板３０を所定の原点位置に戻す動作を行うと共に、原点位置に戻す際の動作速度を、可能な限り速くしているので、中断が選択された時には速やかに圧縮動作が終了するため、使用性が向上するものである。
【００４８】
圧縮板３０に加わる負荷量に応じて、前記圧縮板３０の動作速度と駆動力を切り替えているので、消費電力・圧縮性能・圧縮動作にかかる時間を最適化でき、使い勝手が良く、信頼性の高い掃除機を提供できる。
【産業上の利用可能性】
【００４９】
以上のように、本発明にかかる電気掃除機は、常に安定した圧縮力で塵埃を圧縮することが出来、耐久性に優れ、使用勝手の良いもので、家庭用、業務用、店舗用の各種電気掃除機に適用できる。
【図面の簡単な説明】
【００５０】
【図１】本発明の実施の形態１における電気掃除機の全体斜視図
【図２】同電気掃除機の側断面図
【図３】同電気掃除機の集塵容器の一部欠載斜視図
【図４】同集塵容器の断面図
【図５】同集塵容器収納部の要部斜視図
【図６】同電気掃除機の制御システムブロック図
【符号の説明】
【００５１】
１    掃除機本体
２    電動送風機
４    集塵容器
５    集塵容器収納部
８    運転操作部
１５  集塵容器本体
１８  粗塵室
３０  圧縮板（圧縮手段）
３１  スライダー
３２  スライダーバネ
３３  駆動軸
３４  ラックギア
３５  ギアＢ
３８  ギアＥ
４０  隔壁
５１  通電検知手段
５２  制御手段
５３  電流検出手段（負荷量検知手段）
５４  駆動手段
５６  圧縮駆動モータ
５７  圧縮移動量判断手段
５８  集塵量判断手段
５９  集塵量報知手段
６２  集塵容器検出手段
６３  満杯報知手段
６４  変速ギアユニット（変速手段）
６５  回転数検出手段
６６  圧縮駆動ユニット
【図１】
2008086617.tif 000004
【図２】
2008086617.tif 000005
【図３】
2008086617.tif 000006
【図４】
2008086617.tif 000007
【図５】
2008086617.tif 000008
【図６】
2008086617.tif 000009